(57)【要約】サービス加入者に所望の情報を提供する情報提供システムにおいて、全体の情報からユーザが必要とする情報を自動的に選択して提供することが可能な情報提供システムを提供することを目的とする。ローカルサーバ４〜６には個々のサービス加入者が設定した受信設定が記憶されたユーザＤＢ８〜１０が設けられている。ローカルサーバは接続されたアクセスポイントのサービスエリアにサービス加入者端末が移動してくると、そのサービス加入者端末との間で回線を確立し、ユーザＤＢから対応する受信設定を参照して、ローカルサーバに蓄積されたメッセージデータの内、受信設定に合致するメッセージのみをサービス加入者端末に提示する。
2004508636.tif 000002
【特許請求の範囲】
【請求項１】
所定範囲のサービスエリアを有する少なくとも１つのローカルサーバ手段と、前記ローカルサーバ手段相互を接続する中央サーバ手段とを有し、前記サービスエリア内に存在するサービス加入者端末に対して、予め蓄積された情報を提供する情報システムであって、
それぞれに送信先指定条件が関連付けられた情報を蓄積する情報データベース手段と、
前記サービス加入者端末毎に設定された情報受信条件を記憶する加入者データベース手段と、
前記情報データベース手段及び前記加入者データベース手段を用いて、前記ローカルサーバ手段のサービスエリア内に存在する前記サービス加入者端末に対応する前記情報受信条件と、前記送信先指定条件とを比較し、前記情報受信条件を満たす前記送信先指定条件を有する情報のみを選択する情報選択手段と、
前記サービスエリア内に存在する前記サービス加入者端末に対して、前記情報選択手段が選択した情報のみを提示する情報提供手段とを有することを特徴とする情報提供システム。
【請求項２】
前記情報データベース手段、前記加入者データベース手段、前記情報選択手段及び前記情報提供手段がいずれも前記ローカルサーバ手段の各々に設けられていることを特徴とする請求項１記載の情報提供システム。
【請求項３】
前記送信先指定条件が、前記ローカルサーバ手段を送信先として指定する場所指定条件、情報を提供する期間を指定する期間指定条件、前記情報受信条件の少なくとも一部の値を指定する情報受信条件指定条件のうち少なくとも１つを含むことを特徴とする請求項１または請求項２記載の情報提供システム。
【請求項４】
前記ローカルサーバ手段が、
前記サービス加入者端末が、自らのサービスエリアに移動してきたことを検出する加入者端末検出手段と、
前記移動してきた前記サービス加入者端末との間で無線回線を確立しその旨を前記情報選択手段に通知する回線制御手段をさらに有することを特徴とする請求項１乃至請求項３記載の情報提供システム。
【請求項５】
前記情報データベース手段に蓄積された情報のそれぞれについて、自動配信の有無を指定するプッシュ条件指定がなされており、
前記情報提供手段は、前記情報選択手段が選択した情報の内、前記プッシュ条件指定が自動配信すると設定されている情報について、前記サービスエリア内に存在する前記サービス加入者端末に対して自動的に送信することを特徴とする請求項１乃至請求項４のいずれか１項に記載の情報提供システム。
【請求項６】
更に、前記情報提供手段が、前記情報として、実質的に連続して前記サービス加入者端末に供給されるブロードキャストデータを提供することを特徴とする請求項１乃至請求項５のいずれか１項に記載の情報提供システム。
【請求項７】
前記情報提供手段が、前記サービスエリア内に存在する前記サービス加入者端末からの情報要求に応答して、前記情報の提示を行うことを特徴とする請求項１乃至請求項６のいずれか１項に記載の情報提供システム。
【請求項８】
前記中央サーバ手段が、前記各ローカルサーバ手段から受信した情報の前記送信先指定条件に基づき、必要なローカルサーバ手段に対して当該受信情報を配信することを特徴とする請求項１乃至請求項７のいずれか１項に記載の情報提供システム。
【請求項９】
所定範囲のサービスエリアを有する少なくとも１つのローカルサーバ手段と、前記ローカルサーバ手段相互を接続する中央サーバ手段と、それぞれに送信先指定条件が関連付けられた情報を蓄積する情報データベース手段と、サービス加入者端末毎に設定された情報受信条件を記憶する加入者データベース手段とを有し、前記サービスエリア内に存在する前記サービス加入者端末に対して、予め蓄積された情報を提供する情報システムの制御方法であって、
前記情報データベース手段及び前記加入者データベース手段を用いて、前記ローカルサーバ手段のサービスエリア内に存在する前記サービス加入者端末に対応する前記情報受信条件と、前記情報の送信先指定条件とを比較し、前記情報受信条件を満たす前記送信先指定条件を有する情報のみを選択する情報選択ステップと、
前記サービスエリア内に存在する前記サービス加入者端末に対して、前記情報選択ステップが選択した情報のみを提示する情報提供ステップとを有することを特徴とする情報提供システムの制御方法。
【請求項１０】
前記情報選択ステップ及び前記情報提供ステップがいずれも前記ローカルサーバ手段で実施されることを特徴とする請求項９記載の情報提供システムの制御方法。
【請求項１１】
前記送信先指定条件が、前記ローカルサーバ手段を送信先として指定する場所指定条件、情報を提供する期間を指定する期間指定条件、前記情報受信条件の少なくとも一部の値を指定する情報受信条件指定条件のうち少なくとも１つを含むことを特徴とする請求項９または請求項１０記載の情報提供システムの制御方法。
【請求項１２】
前記ローカルサーバ手段において、
前記サービス加入者端末が、自らのサービスエリアに移動してきたことを検出する加入者端末検出ステップと、
前記移動してきた前記サービス加入者端末との間で無線回線を確立しその旨を前記情報選択ステップに通知する回線制御ステップとをさらに有することを特徴とする請求項９乃至請求項１１記載の情報提供システムの制御方法。
【請求項１３】
前記情報データベース手段に蓄積された情報のそれぞれについて、自動配信の有無を指定するプッシュ条件指定がなされており、
前記情報提供ステップは、選択した情報の内、前記プッシュ条件指定が自動配信すると設定されている情報について、前記サービスエリア内に存在する前記サービス加入者端末に対して自動的に送信することを特徴とする請求項９乃至請求項１２のいずれか１項に記載の情報提供システムの制御方法。
【請求項１４】
更に、前記情報提供ステップが、前記情報として、実質的に連続して前記サービス加入者端末に供給されるブロードキャストデータを提供することを特徴とする請求項９乃至請求項１３のいずれか１項に記載の情報提供システムの制御方法。
【請求項１５】
前記情報提供ステップが、前記サービスエリア内に存在する前記サービス加入者端末からの情報要求に応答して、前記情報の提示を行うことを特徴とする請求項９乃至請求項１４のいずれか１項に記載の情報提供システムの制御方法。
【請求項１６】
前記中央サーバ手段が、前記各ローカルサーバ手段から受信した情報の前記送信先指定条件に基づき、必要なローカルサーバ手段に対して当該受信情報を配信するステップを有することを特徴とする請求項９乃至請求項１４のいずれか１項に情報提供システムの制御方法。
【発明の詳細な説明】
【０００１】
（技術分野）
本発明は情報提供システム及びその制御方法に関し、特に情報の送信先や取得する情報を選択可能な情報提供システム及びその制御方法に関する。
【０００２】
（背景技術）
近年の通信技術の進歩により、全世界の情報が時間差なしに取得可能になり、また、インターネットの普及につれ、膨大な情報に簡単にアクセスすることが可能となってきている。
【０００３】
例えばインターネットのホームページで提供される情報から自分に必要な情報を探すには、予め雑誌等で必要な情報を提供するホームページのアドレスを調べ、そのアドレスを指定してアクセスしたり、所謂検索サイトと呼ばれる検索専用のホームページを用い、主にキーワード検索や、ホームページのリンクをたどることにより、所望の情報を提供すると思われるホームページを探し出すのが一般的である。
【０００４】
しかしながら、キーワード検索を用いた場合には、キーワードの選択の仕方により検索結果が大きく左右される。また、キーワードの数が少ない場合には無関係なホームページが多く含まれる。そのため、さらにキーワードを加えて希望したに（無関係な）ホームページを削減したり、ページの抄録文などを頼りに関連のありそうなホームページに１つ１つアクセスして、内容の確認をする必要があった。
【０００５】
また、検索サイトが用意した分類毎のリンクをたどって情報を探す場合、全く関係のないホームページがリンクに含まれる可能性は小さいが、検索サイトでリンクをしていないホームページは表示されない。また、希望する分類が存在しないこともある。
【０００６】
加えて、このようにして検索されたホームページが提供する情報の中には、既に古くなって情報価値のないものも含まれている。また、実際にアクセスすると、そのページが無い場合もある。
【０００７】
さらに、検索者側の状況、すなわち、現在いる場所や性別、年齢などは検索結果に全く関係がないため、今いる場所の近辺に関する情報のみを調べたい場合であっても、やはりキーワード等を入力して場所を指定する必要があった。
【０００８】
一方、情報を提供する側の立場に立ってみると、その情報を必要としない相手にいくら情報を提供しても意味がない。例えば、子供服の安売りに関する情報を提供しようとした場合、子供のいない人に情報を提供しても、宣伝の効果は期待できない。
【０００９】
本発明はこのような従来技術の問題点に鑑みなされたものであり、その目的は、ユーザに所望の情報を提供する情報提供システムにおいて、全体の情報からユーザが必要とする情報を自動的に選択して提供することが可能な情報提供システム及びその制御方法を提供することにある。
【００１０】
また、本発明の別の目的は、ユーザに所望の情報を提供する情報提供システムにおいて、情報の発信者がその情報の送信先についてユーザ固有の情報を用いて選択可能な情報提供システム及びその制御方法を提供することにある。
【００１１】
（発明の開示）
すなわち、本発明の要旨は、所定範囲のサービスエリアを有する少なくとも１つのローカルサーバ手段と、ローカルサーバ手段相互を接続する中央サーバ手段とを有し、サービスエリア内に存在するサービス加入者端末に対して、予め蓄積された情報を提供する情報システムであって、それぞれに送信先指定条件が関連付けられた情報を蓄積する情報データベース手段と、サービス加入者端末毎に設定された情報受信条件を記憶する加入者データベース手段と、情報データベース手段及び加入者データベース手段を用いて、ローカルサーバ手段のサービスエリア内に存在するサービス加入者端末に対応する情報受信条件と、送信先指定条件とを比較し、情報受信条件を満たす送信先指定条件を有する情報のみを選択する情報選択手段と、サービスエリア内に存在するサービス加入者端末に対して、情報選択手段が選択した情報のみを提示する情報提供手段とを有することを特徴とする情報提供システムに存する。
【００１２】
また、本発明の別の要旨は、所定範囲のサービスエリアを有する少なくとも１つのローカルサーバ手段と、ローカルサーバ手段相互を接続する中央サーバ手段と、それぞれに送信先指定条件が関連付けられた情報を蓄積する情報データベース手段と、サービス加入者端末毎に設定された情報受信条件を記憶する加入者データベース手段とを有し、サービスエリア内に存在するサービス加入者端末に対して、予め蓄積された情報を提供する情報システムの制御方法であって、情報データベース手段及び加入者データベース手段を用いて、ローカルサーバ手段のサービスエリア内に存在するサービス加入者端末に対応する情報受信条件と、情報の送信先指定条件とを比較し、情報受信条件を満たす送信先指定条件を有する情報のみを選択する情報選択ステップと、サービスエリア内に存在するサービス加入者端末に対して、情報選択手段が選択した情報のみを提示する情報提供ステップとを有することを特徴とする情報提供システムの制御方法に存する。
【００１３】
（発明を実施するためのベストモード）
以下、図面を参照して本発明をその好適な実施形態に基づき詳細に説明する。
（全体構成）
図１は、本発明の実施形態に係る情報提供システムの全体構成例を示す図である。図において、情報提供システムは、３つのローカルサーバ４〜６と、ローカルサーバ４〜６のそれぞれに３つずつ接続されたアクセスポイント（ＡＰ）Ａ−１〜Ａ−３、Ｂ−１〜Ｂ−３、Ｃ−１〜Ｃ−３と、ローカルサーバ４〜６の全てが接続された中央処理サーバ１とを有している。中央処理サーバ１は、本システムとインターネット１１との通信インタフェースの機能を有し、インターネット１１に接続された情報提供サーバ３と各ローカルサーバ４〜６との間の通信をサポートする。中央処理サーバ１はまた、各ローカルサーバ４〜６から受信するメッセージの転送処理等を行う。
【００１４】
ローカルサーバ４〜６は、地理的に離れた場所に配置され、それぞれゾーンＡ〜Ｃをサービスエリアとする。各ＡＰは比較的狭い範囲、例えば１００ｍ未満の範囲をサービスエリアとする無線基地局である。従って、各ローカルサーバがカバーするゾーンは比較的小さな範囲であり、具体的には駅毎、ビルの各階毎、商店街毎等の単位でローカルサーバが配置される。
【００１５】
移動無線通信端末７は、各ＡＰと無線接続を確立する機能を有しており、各ＡＰのサポート範囲に移動無線通信端末７が入ると、そのＡＰと移動無線通信端末７との間で無線通信回線が確立される。
【００１６】
また、中央処理サーバ１及びローカルサーバ４〜６のそれぞれは、本情報提供システムの登録ユーザに関する情報を有するユーザＤＢ２、８〜１０を有している。各ユーザＤＢの内容は同一であり、定期的に全てのユーザＤＢの同期処理が行われる。もちろん、ローカルサーバ４〜６及び中央処理サーバのいずれもがアクセス可能なユーザＤＢを１つ設け、ユーザＤＢを集中管理することも可能である。
【００１７】
図１においては、中央処理サーバ１に接続されるローカルサーバが３台、各ローカルサーバに接続されるＡＰが３台ずつである場合を示したが、これらの台数は任意であり、またローカルサーバに接続されるＡＰの数も任意かつ互いに異なる値であって良い。同様に、移動無線通信端末７の数、場所も任意である。
【００１８】
（ローカルサーバの構成）
図２は、ローカルサーバ４の構成例を示すブロック図である。ローカルサーバ４は、全体の制御を行うＣＰＵ５１と、ＣＰＵ５１が実行するプログラムや各種データを保存するＲＯＭ５２と、音声ガイダンスや録音音声などの音声データが記憶、蓄積される音声ＤＢ５３と、中央処理サーバ１及び各ＡＰとのデータ通信を行うためのインタフェースであるネットワークＩ／Ｆ５４と、ＣＰＵ５１のワークエリア等として用いられるＲＡＭ５５と、本システムの登録加入者に関する情報を蓄積するユーザＤＢ８と、ローカルサーバ４がサービスする電子掲示板サービス（ＢＢＳ）に登録されたメッセージを蓄積するメッセージＤＢ５７と、ＣＰＵ５１が実行するプログラム、必要に応じて移動無線通信端末へアップロードするアプリケーションプログラム等が記憶されるＨＤＤ５８とを有する。
【００１９】
各構成要素は、ＣＰＵ５１のバス（データバス、アドレスバス及びコントロールバスを含む）によって相互に接続されている。音声ＤＢ５３、ユーザＤＢ８及びメッセージＤＢ５７は、図面上独立して記載されているが、ＨＤＤ５８の一部領域を使用する構成であっても良い、
【００２０】
また、図２では代表してローカルサーバ４についてのみ説明したが、ローカルサーバ５及び６についても同一の構成であり、個々のローカルサーバについての説明は省略する。このようなローカルサーバ４〜６は、ネットワークインタフェースを有する汎用のコンピュータ装置により実現することができる。
【００２１】
（中央処理サーバ１の構成）
図３は、中央処理サーバ１の構成例を示すブロック図である。中央処理サーバ１は、全体の制御を行うＣＰＵ６１と、ＣＰＵ６１が実行するプログラムや各種データを保存するＲＯＭ６２と、メッセージ等の送信先として指定された場所と、各ローカルサーバ４〜６との対応を記憶したローカルサーバＤＢ６３と、インターネット１１及び各ローカルサーバ４〜６とのデータ通信を行うためのインタフェースであるネットワークＩ／Ｆ６４と、ＣＰＵ６１のワークエリア等として用いられるＲＡＭ６５と、本システムの登録加入者に関する情報を蓄積するユーザＤＢ２と、ＣＰＵ６１が実行するプログラム等が記憶されるＨＤＤ６８とを有する。
【００２２】
各構成要素は、ＣＰＵ６１のバス（データバス、アドレスバス及びコントロールバス）によって相互に接続されている。また、ローカルサーバＤＢ６３及びユーザＤＢ２は、図面上独立して記載されているが、ＨＤＤ６８の一部領域を使用する構成であっても良い、このような中央処理サーバ１は、ネットワークインタフェースを有する汎用のコンピュータ装置により実現することができる。
【００２３】
（動作説明）
以下、本システムにおいて、移動無線通信端末７を所有する加入者に対し、どのようにして情報を提供するのかについて順を追って説明する。
上述したように、本実施形態における各ローカルサーバが受け持つサービスエリア（ゾーン）は比較的小さい。従って、そのゾーン内に存在する移動無線通信端末７に対して選択的に情報を提供することができる。本実施形態において、移動無線通信端末７に対する情報の提供は電子掲示板サービス（所謂ＢＢＳ）を基本とし、これに情報を自動配信するプッシュサービス及び連続的に情報を提供するブロードキャストサービスが組み合わされる。
【００２４】
そして、本発明に係る情報提供システムにおいては、情報を受信する登録加入者の位置や、事前に登録された趣味や年齢、性別等の個人情報を組み合わせ、ローカルサーバが蓄積する情報から適切なものだけを選択して提供することを特徴とする。
【００２５】
例えば、ゾーンＡをサービスエリアとするローカルサーバＡ（４）には、ゾーンＡ内もしくはその近辺に関連する情報、もしくはゾーンＡ内にいる移動無線通信端末７への配信が指定されたメッセージのみ蓄積したＢＢＳを設ける。そして、ゾーンＡに存在する移動無線通信端末７の加入者について事前に登録された個人情報をユーザＤＢ８で参照して、ＢＢＳに蓄積された情報の中から適切な情報のみを選択して提供する。
【００２６】
本実施形態において、本システムが提供する情報提供サービスを利用するには、事前にユーザ登録を行う必要がある。ユーザ登録は、ユーザの有する移動無線通信端末７が、本システムに含まれるいずれかのＡＰを介してローカルサーバと通信することにより行われるが、まず、移動無線通信端末７とローカルサーバとを通信するための回線を確立する必要がある。
【００２７】
（回線制御処理）
図４は、各ＡＰが行う回線制御処理について説明したフローチャートである。各アクセスポイントは、アンテナを通じて所定時間毎（例えば１秒毎）に問い合わせ信号を送出する（ステップＳ１０１）。移動無線通信端末７がアクセスポイントの発した問い合わせ信号を受信すると、問い合わせに対して応答する。ステップＳ１０２で応答を検出するとＡＰは空きチャネルのアドレスを移動無線通信端末７に割り当て、送信する（ステップＳ１０３）。割り当てされたチャネルを用いて例えば以後の通信に用いる暗号鍵等の情報を端末７に送信し、通信回線を確立する（ステップＳ１０４）。
【００２８】
回線が確立したら、ＡＰは移動無線通信端末７の加入者番号等の加入者情報を取得して、上位のローカルサーバに送信する（ステップＳ１０５）。以後、ローカルサーバと移動無線通信端末７との間でサービスの提供がなされる。
【００２９】
例えば移動無線通信端末７が移動して、ＡＰの受け持ち範囲から外れた場合等、ローカルサーバ側で移動無線通信端末７から所定時間応答が無いことを検出すると、ローカルサーバからＡＰに対して回線切断指示を送信する。この回線切断指示を受信すると（ステップＳ１０６）、移動無線通信端末７に割り当てたチャネルを解放し（ステップＳ１０７）、回線を切断する（ステップＳ１０８）。
【００３０】
移動無線通信端末７が同じローカルサーバに接続されたＡＰ間、例えば、図１におけるＡＰ（Ａ−１）のサービス範囲からＡＰ（Ａ−２）のサービス範囲へと移動した場合には、移動先のＡＰ（Ａ−２）と移動無線通信端末７との回線確立をローカルサーバ４が検出可能であるので、この場合には上述の応答の無い時間による回線切断を指示する判定前であっても、ローカルサーバ４からＡＰ（Ａ−１）に対して回線切断指示が送信される。
【００３１】
なお、ＡＰと移動無線通信端末７との間の無線インタフェースは、比較的狭い範囲をＡＰのサービス範囲として実現できればどのようなものでも良いが、データ通信と音声通信をサポートするプロトコルを適用可能なものが好ましく、また移動無線通信端末７に実装することから、消費電力の小さなものが好ましい。
【００３２】
このような無線インタフェースとしては、例えばＰＨＳやＢｌｕｅｔｏｏｔｈを利用することができる。Ｂｌｕｅｔｏｏｔｈを利用した場合、各ＡＰのサービス範囲は半径１００ｍ〜１０ｍ程度となる。また、この場合、移動無線通信端末７としては、通常のＰＤＣ方式等に適合した電話端末に、Ｂｌｕｅｔｏｏｔｈを利用するためのインタフェース、回路等を付加した構成を有する端末を用いることができる。
【００３３】
（ローカルサーバの情報提供処理）
上述の通り移動無線通信端末７とＡＰとの無線回線が確立すると、ＡＰから上位のローカルサーバに対して回線を確立した相手先である移動無線通信端末７に関する情報が送信される（図４、ステップＳ１０５）。これを受けてローカルサーバは、移動無線通信端末７に対して情報提供等の処理を行う。
【００３４】
上述の通り、本実施形態において、移動無線通信端末７に対する情報の提供は基本的に電子掲示板サービスによって行われ、情報を自動配信するプッシュサービス及び連続的に情報を提供するブロードキャストサービスが組み合わされる。移動無線通信端末７とローカルサーバとの通信はデータ通信であり、後述するように音声データも他のデータと同様にパケット形式によって通信される。
【００３５】
また、本実施形態において、移動無線通信端末７とローカルサーバとの間の双方向通信は、基本的にローカルサーバから移動無線通信端末７に対してメニュー画面等の表示用データを送信し、移動無線通信端末７において、表示画面中に含まれるリンクの選択、あるいは表示用データに含まれるデータ入力領域や選択領域等の入力後のデータ送信指示を行うことによってローカルサーバへデータ送信することによって実現される。
【００３６】
次に、図５に示すフローチャートを用いて、本実施形態におけるローカルサーバの情報提供処理について、ローカルサーバ４の動作を例にして説明する。
まず、ステップＳ２０１において、上述したＡＰからの加入者情報、例えば移動無線通信端末７の加入者番号を受信する。そして、この加入者番号を用いてユーザＤＢ８を検索し、登録済みユーザ（サービス加入者）であるかどうかをチェックする（ステップＳ２０２）。
【００３７】
チェックの結果、未登録ユーザである場合には、ＢＢＳのサービス初期画面表示データを送信し（ステップＳ２０８）、その後は端末の指示に従った処理を行う（ステップＳ２０９）。なお、ユーザ登録については後述する。
【００３８】
一方、ステップＳ２０２において、登録済みユーザであることが確認された場合には、ユーザＤＢ８とメッセージＤＢ５７とを参照して、プッシュすべきメッセージがあるかどうかをチェックする（ステップＳ２０４）。具体的には、メッセージＤＢ５７に蓄積されたメッセージのうち、移動無線通信端末７の加入者が送信先に相当するメッセージであって、かつ「プッシュ」の設定がなされているものがあるかどうかをチェックする。メッセージ毎の送信先設定等、ここで参照される設定については後述する。
【００３９】
上述の通り、「プッシュ」とは、加入者が情報を参照しに行かなくても、システム側から強制的に送りつけるサービスを意味する。従って、「プッシュ」メッセージが存在する場合には、まずそのメッセージ（のタイトル）を列記した画面表示データを移動無線通信端末７へ送信する（ステップＳ２０５）。
【００４０】
プッシュメッセージの送信後、例えば初期画面への復帰指示など、プッシュメッセージに関する処理が終了した旨を検出すると、次にサービス加入者ブロードキャストデータの有無を調べる（ステップＳ２０６）。ブロードキャストデータとは、例えば街頭に設けられた文字ニュース表示装置に表示されるような、実質的に連続して供給されるデータである。
【００４１】
ステップＳ２０６においても、ステップＳ２０４におけるチェックと同様、登録済みユーザのブロードキャストデータ受信に関する設定内容や、個人情報等ユーザＤＢ８に登録されたユーザ情報と、ブロードキャストデータの供給元が設定した送信対象となるユーザの設定内容とを参照して、各登録ユーザ毎に提供可能なブロードキャストデータの有無を決定する。
【００４２】
提供可能なブロードキャストデータが存在する場合には、ステップＳ２０７においてブロードキャストデータが存在する旨の画面表示データを送信し、その後ユーザの指示に従ってブロードキャストデータの提供処理を行う。ブロードキャスト処理については後で詳細に説明する。
【００４３】
ブロードキャストデータの受信終了指示を受信したり、ブロードキャストデータの受信を行わない旨の応答があった場合など、ブロードキャストデータ処理が終了した場合には、サービス初期画面表示用のデータを送信する（ステップＳ２０８）。その後は端末の指示に従った処理を行う（ステップＳ２０９）。
【００４４】
もちろん、ステップＳ２０９における処理を通じて受信した指示によっては、再度ステップＳ２０３、Ｓ２０４、Ｓ２０６等へ移行することもありうる。
【００４５】
このようにして、ローカルサーバ４は、そのＡＰ（Ａ−１〜Ａ−３）のサービスエリアに存在する移動無線通信端末７に対して、メッセージ（またはブロードキャストデータ）に登録された送信先指定情報と、サービス加入者の登録した受信データ設定とを参照し、その双方が一致したデータのみをサービス加入者に提供する。
【００４６】
（ユーザ登録処理）
以下、具体的なユーザ登録処理について、図６を用いて説明する。
ユーザ登録処理は、図５のステップＳ２０８で示されるＢＢＳ初期画面に含まれる、「ユーザ登録」メニューを選択することによって実施される。
【００４７】
図６（ａ）は、ローカルサーバからユーザの端末に送信されるＢＢＳ初期画面の例を示す図である。図６において、下線の引かれた文字（行）はリンクを意味し、その行を選択して、メニューの最下行に表示される、例えば「送信」に割り当てされた端末の所定キーを押下することによって、そのリンクに対応付けされた更に別のメニュー画面（サブメニュー）の表示データの送信要求がローカルサーバへ送信され、ローカルサーバが要求に対応する表示データを送信することによって、別の画面が表示される。
【００４８】
即ち、図６（ａ）において、ユーザが端末の画面上で「ユーザ登録」を選択し、「送信」に割り当てされたキーを押下することによって、ユーザ登録画面の送信要求がローカルサーバへ送信され、ローカルサーバがこの要求に応答して送信したユーザ登録画面表示データを端末側で解釈、表示すると、図６（ｂ）に示すようなユーザ登録画面が表示される。
【００４９】
このような、移動無線通信端末７とローカルサーバとの間の通信は、例えばＨＴＴＰプロトコルに従って行うことができる。この場合、ローカルサーバが移動無線通信端末７に送信する、端末側で解釈可能な言語としては、例えばＨＴＭＬもしくはその命令拡張がなされた言語を用いることができる。
【００５０】
本実施形態において、ユーザ登録画面には、以下のようなフィールドが含まれる。
１）ハンドルネーム設定フィールド
ＢＢＳに投稿するメッセージに表示されるハンドルネーム（ペンネーム）を設定するフィールド。文字を入力する。
２）年齢設定フィールド
ユーザの年齢を設定するフィールド。数字を入力する
【００５１】
３）性別選択フィールド
ユーザの性別を選択するフィールド。男女いずれかのラジオボタンを選択する。
４）ｅ−ｍａｉｌアドレス設定フィールド
ユーザのｅ−ｍａｉｌアドレスを設定するフィールド。英数字を入力する。
【００５２】
５）電話番号設定フィールド
ユーザの加入者番号を入力するフィールド。ＡＰから通知されたユーザの加入者番号を予め埋め込んで表示しても良い。
６）趣味設定画面へのリンク
ユーザが興味を持つ分野を設定する画面へのリンク。
【００５３】
７）広告受信設定画面へのリンク
広告メッセージの受信を行うかどうか及び受信方法の設定画面へのリンク
８）グループ設定画面へのリンク
既登録グループへの参加、新規グループ作成等、グループ設定画面へのリンク。
【００５４】
９）ブロードキャスト受信設定画面へのリンク
ブロードキャストデータの受信有無、受信種類等を設定するブロードキャスト受信設定画面へリンクする。
１０）プッシュメッセージ受信設定画面へのリンク
プッシュ設定（自動配信設定）がなされたメッセージの受信有無、受信種類等を設定するプッシュメッセージ受信設定画面へのリンク。
１１）登録確認画面へのリンク
最終的に登録を行う際に選択するリンク。最終確認画面へのリンク。
【００５５】
これらの設定フィールドのうち、どの項目を必須入力項目とするかは任意であるが、少なくともハンドルネームと電話番号、ｅ−ｍａｉｌアドレスは必須入力項目とする必要がある。
【００５６】
（趣味設定）
ユーザが趣味設定を行う場合には、ユーザ登録画面から趣味設定リンクを選択し、「送信」に割り当てされたキーを端末で押下する。これにより、上述したユーザ登録画面表示データの送信要求、応答と同様にして、端末上に趣味設定画面（図６（ｃ））が表示される。
【００５７】
趣味設定画面は、ユーザが受け取りたい、もしくは見たい情報のカテゴリーを設定するための画面であり、図６（ｃ）に示すように、いくつかの大まかなカテゴリーがリスト表示される。リスト中の各項目にはラジオボタンが設けられており、ユーザが興味を持つカテゴリーに対応するラジオボタンを任意の数選択し、「設定」に対応する端末キーを押下するとその設定内容が端末内に一時記憶され、再びユーザ登録画面（図６（ｂ））に戻る。また、「設定」の変わりに「戻る」に対応する端末キーが押下されると、何も設定せずにユーザ登録画面（図６（ｂ））へ戻る。
【００５８】
（広告受信設定）
ユーザが広告受信設定を行う場合には、ユーザ登録画面から広告受信設定リンクを選択し、「送信」に割り当てされたキーを端末で押下する。これにより、上述したユーザ登録画面表示データの送信要求、応答と同様にして、端末上に広告受信設定画面（図６（ｄ））が表示される。
【００５９】
広告受信設定画面は、ＢＢＳに蓄積されるメッセージのうち、「広告」として設定されたメッセージ（広告メッセージ）について、提供を希望するかどうか、またプッシュサービスを有効とするかどうかの設定を行う画面である。図６（ｄ）において、広告受信設定画面には、
１）自分から見に行く
２）自動で受け取る
３）受け取らない
の選択肢が用意されており、いずれか１つを選択、設定する。
【００６０】
１）は、広告メッセージについてのプッシュサービスを無効にし、ユーザがＢＢＳの閲覧を行った際に表示されるメッセージリスト中に（プッシュ設定のある）広告メッセージを含ませる設定である。
【００６１】
２）は、プッシュ設定のある広告メッセージについては、ローカルサーバによるプッシュサービスを有効にし、ローカルサーバのサービスエリアに入った場合、他の設定に合致するプッシュ設定のある広告メッセージについては、自動的に移動無線通信端末７へ送信するようにする設定である。もちろん、プッシュ設定のない広告メッセージは、ユーザがＢＢＳの閲覧を行った際に表示されるメッセージリスト中に表示される。
３）は、一切の広告メッセージを受け取りたくない場合に設定する。
【００６２】
ユーザが指定したい項目に対応するラジオボタンを１つ選択し、「設定」に対応する端末キーを押下するとその設定内容が端末内に一時記憶され、再びユーザ登録画面（図６（ｂ））に戻る。また、「設定」の変わりに「戻る」に対応する端末キーが押下されると、何も設定せずにユーザ登録画面（図６（ｂ））へ戻る。
【００６３】
（グループ設定ー新規加入）
ユーザがグループ設定を行う場合には、ユーザ登録画面（図６（ｂ））からグループ設定画面リンクを選択し、「送信」に割り当てされたキーを端末で押下する。これにより、上述したユーザ登録画面表示データの送信要求、応答と同様にして、端末上にグループ設定画面（図６（ｅ））が表示される。
【００６４】
グループ設定画面は、ＢＢＳに登録されたグループにユーザが加入する場合、新規にグループを作成する場合、もしくはユーザが作成したグループの編集、削除を行う場合に用いる画面である。
【００６５】
本実施形態において、グループとはある登録ユーザの集団であり、グループの加入に際して例えば趣味設定の設定項目等による制限等はなされないものとする。グループは、例えば作成したメッセージの送信先を指定に用いることができる。
【００６６】
グループメニュー画面には、図６（ｅ）に示すように、新規にグループに加入する際に選択する新規加入リンクのみが表示される。一方、既登録ユーザが所定の画面からグループ設定画面を呼び出した場合には、図７（ｅ’）に示すように新規加入リンクの他に、新しくグループを作成する場合に選択するグループ作成リンクと、自分で作成したグループの編集、削除を行う場合に選択するグループ編集、削除リンクとが表示される。
【００６７】
未登録ユーザが新規グループに加入を希望する場合には、図６（ｅ）の新規加入リンクを選択し、グループを特定するための一覧画面（図６（ｆ））が表示される。グループ一覧画面には、ローカルサーバに登録された全グループ名の一覧がリンクとして表示される。
【００６８】
もちろん、全グループの一覧画面ではなく、事前に５０音等で名称を検索する画面を通じてグループを絞り込み、その結果として得られたグループ名を表示するようにすることも可能である。
【００６９】
ユーザがグループ名一覧に示されたグループ名から興味のあるグループ名を選択し、「詳細」に割り当てられたキーを押下すると、予め登録された、グループの簡単な紹介文が表示される（図６（ｇ））。ここで、「登録」に割り当てされたキーを押下すると、表示中のグループにユーザが登録を希望する旨の情報が端末内に一時記憶され、ユーザ登録画面（図６（ｂ））にもどる。
【００７０】
既登録ユーザがグループに新規加入する場合、図７に示すように、端末に表示される画面は未登録ユーザの場合と同じであるが、図７（ｇ）において「登録」に割り当てされたキーを押下した時点で登録指示がローカルサーバへ送信される点で異なる。これは、未登録ユーザの場合、最終的な登録が指示されるまで、登録自体が中止になる可能性があるからである。
【００７１】
（グループ設定ー新規作成）
既登録ユーザが行う他のグループ設定についても併せて説明すると、グループ設定画面（図７（ｅ’））に含まれる、新規グループ作成リンク（「新しくグループを作る」）が選択されると、グループの一覧表示画面や詳細表示画面（図６及び図７の（ｆ）、（ｇ））で表示されるグループ名及び紹介文を入力するグループ作成画面（図７（ｈ））が表示される。
【００７２】
ユーザがこの画面上でグループ名及び紹介文を記入し、「登録」に割り当てされたキーを押下すると、入力データがローカルサーバに送信され、ＨＤＤ５３の所定領域に設けられたグループＤＢに登録者の加入者番号と共に登録される。
【００７３】
（グループ設定ー編集、削除）
また、グループ設定画面（図７（ｅ’））に含まれる、作成済みグループの編集、削除リンク（「グループの編集、削除」）が選択されると、ローカルサーバ４は既登録ユーザの加入者番号を用いてグループＤＢを検索し、その既登録ユーザが作成したグループの一覧表示データを送信する。既登録ユーザはこの一覧表示画面（図７（ｉ））から編集または削除を希望するグループを選択し、「編集」または「削除」に割り当てされたキーを押下する。
【００７４】
「編集」が指示された場合（図７（ｊ））も、「削除」が指示された場合（図７（ｋ））も、ローカルサーバ４は指定されたグループの名称及び紹介文をグループＤＢから読み出し、表示画面データと共に送信する。端末上ではグループ名及び紹介文が表示され、編集を行う場合にはこれらのデータを編集し、「送信」に割り当てられたキーを押下することによってローカルサーバへ変更後のデータを送信する。ローカルサーバは、受信したデータをグループＤＢに上書きする。
【００７５】
一方、図７（ｋ）において、「削除」に対応するキーが押下された場合、ローカルサーバは当該グループに関するレコードをグループＤＢから削除する。
【００７６】
図６に戻って、未登録ユーザが各種設定を行い、図６（ｂ）において、「登録」リンクを選択して、「送信」に割り当てされたキーを押下すると、例えば「登録しますか？」等の確認メッセージが表示された後、再度「登録」が指示されると移動無線通信端末７は、加入者番号及び各設定項目をローカルサーバへ送信する。もちろん、「登録しますか？」のメッセージと共に、設定内容の一覧をユーザに表示するように構成することもできる。
【００７７】
このように、未登録ユーザが新規登録した場合や、既登録ユーザが登録内容を変更した場合など、ユーザＤＢに変更が生じた場合には、当該ローカルサーバから中央処理サーバ１へ変更内容が通知される。中央処理サーバ１は、自らのユーザＤＢ２に変更内容を反映すると共に、通知元以外のローカルサーバに対して、各ローカルサーバが有するユーザＤＢに変更を反映するよう指示する。これによって、全てのユーザＤＢ間の同期が保たれる。
【００７８】
（ブロードキャスト受信設定）
ユーザがブロードキャストデータの受信に関する設定を行う場合には、ユーザ登録画面（図６（ｂ））からブロードキャスト受信設定画面リンクを選択し、「送信」に割り当てされたキーを端末で押下する。これにより、上述したユーザ登録画面表示データの送信要求、応答と同様にして、端末上にブロードキャスト受信設定画面（図６（ｈ））が表示される。
【００７９】
ブロードキャスト受信設定画面には、
１）受信可能な全てのチャネルを受信する
２）特定の種類のチャネルのみ受信する。
３）ブロードキャストデータを受信しない。
の３つが選択肢として用意されており、ユーザは希望する選択肢を選択して「設定」に対応するキーを押下することによって設定が行われる。
【００８０】
ただし、「種類を指定する」を選択した場合には、上述した趣味設定（図６（Ｃ））画面が表示され、さらに受信を希望するブロードキャストデータのカテゴリを指定して設定が終了する。
【００８１】
（プッシュメッセージ受信設定）
ユーザがプッシュメッセージの受信に関する設定を行う場合には、ユーザ登録画面（図６（ｂ））からプッシュメッセージ受信設定画面リンクを選択し、「送信」に割り当てされたキーを端末で押下する。これにより、上述したユーザ登録画面表示データの送信要求、応答と同様にして、端末上にプッシュメッセージ受信設定画面（図６（ｉ））が表示される。
【００８２】
プッシュメッセージ受信設定画面には、
１）全てのプッシュメッセージを受信する
２）特定の種類のプッシュメッセージのみ受信する。
３）自分宛（個人指定された）プッシュメッセージのみ受信する
４）プッシュメッセージを受信しない。
の４つが選択肢として用意されており、ユーザは希望する選択肢を選択して「設定」に対応するキーを押下することによって設定が行われる。このうち、３）の、「個人指定のみ受信する」を設定した場合、後述するメッセージ作成処理においてプッシュ設定（自動配信する）が設定されたメッセージで、送信先として特定の個人（自分）が設定されたメッセージのみを受け取ることになる。
【００８３】
また、「種類を指定する」を選択した場合には、上述した趣味設定（図６（Ｃ））画面が表示され、さらに受信を希望するプッシュメッセージのカテゴリを指定して設定が終了する。
【００８４】
（メッセージ作成処理）
次に、メッセージの作成処理について、移動無線通信端末７における画面表示例を示す図８と、ローカルサーバの処理を示すフローチャートである図９を用いて説明する。なお、以下の説明においては、移動無線通信端末７とローカルサーバ４との間におけるメッセージ作成処理を例として説明するが、本システムにおけるローカルサーバは、インターネット１１を介して本システムにアクセス可能な装置からのメッセージ作成要求に対しても同様に動作する。
【００８５】
メッセージの作成は、
１）新規トピックの作成
２）ＢＢＳ閲覧時に表示されたメッセージに対する応答
の際に行われる。まず、図８に示す画面表示例及び図９のフローチャートを用いて、新規トピック作成について説明する。
【００８６】
サービス初期画面（図８（ａ））から、メッセージ作成リンクが選択されると（ステップＳ５０１）、ローカルサーバ４は新規メッセージにメッセージＩＤを割り当てる（ステップＳ５０２）。そして、メッセージが新規トピック作成であることから（ステップＳ５０３）、メッセージ作成画面の表示データをメッセージＩＤとともに送信する（ステップＳ５０９）。
この結果、メッセージ作成画面（図８（ｂ））が端末に表示される。
【００８７】
メッセージ作成画面には、
１）タイトルフィールド
メッセージのタイトルを入力する文字入力フィールド
２）本文フィールド
メッセージの本文を入力する文字入力フィールド
３）録音リンク
メッセージに音声を添付する場合に選択するリンク
【００８８】
４）プッシュ設定フィールド（「自動配信する」）
作成したメッセージにプッシュ属性を付加する場合に設定するフィールド
５）受信者指定画面リンク
作成したメッセージの受信者を個人、グループ等で指定する場合に選択するリンク
６）場所指定画面リンク
作成したメッセージの受信者を場所（ローカルサーバ）によって指定する場合に選択するリンク
【００８９】
７）日時指定画面リンク
作成したメッセージを特定の期間のみ送信する場合に選択するリンク
８）趣味指定画面リンク
作成したメッセージの受信者を、その受信者が設定した趣味設定によって指定する場合に選択するリンク
９）広告配信設定画面リンク
作成したメッセージを、システム内で広告として取り扱う場合に選択するリンク
【００９０】
１０）設定確認画面リンク
メッセージの送信前に、作成したメッセージに対して行った設定内容を確認する場合に選択するリンク
がそれぞれ設けられている。各リンクの選択はローカルサーバで検出され（ステップＳ５０５）、ローカルサーバは選択されたリンクに対応する設定画面の送信を行う（ステップＳ５０６）。
【００９１】
（タイトル及び本文の作成）
タイトル及び本文の入力は、各フィールドに端末から文字入力することによって行う。録音リンクは、メッセージに音声データを添付したい場合に選択するリンクであり、ローカルサーバが録音リンクの選択を検出すると（ステップＳ５０７）、音声ＤＢ５３から録音を促す音声ガイダンスを読み出し、移動無線通信端末７へ送信する（ステップＳ５１０）。
【００９２】
この音声ガイダンス（のパケットデータ）は、移動無線通信端末７において音声信号として再生され、ユーザに通知される。ユーザはガイダンスに従って端末のマイクから音声を吹き込む。この音声は端末内でディジタル化され、必要に応じて符号化された後、音声パケットデータとしてローカルサーバ４へ送信される。この音声パケットデータには、そのヘッダ部にメッセージＩＤとパケットが音声パケットであることを示す識別子を含ませて送信される。
【００９３】
ローカルサーバ４はこの音声パケットを受信すると、メッセージＩＤにより読み出し可能な形式に変換して音声ＤＢ５３に登録する（ステップＳ５１１）。移動無線通信端末７は、音声データを送信すると、メッセージデータ中の音声フラグ（後述）をセットする。
【００９４】
（各種設定）
プッシュ設定フィールドは、上述したプッシュサービスを用いて送信対象となる加入者に対し、ローカルサーバから自動的に配信させたい場合に選択する（ラジオボタンを選択する）。
【００９５】
受信者指定画面リンクを選択すると、図８（ｃ）に示す受信者指定画面が表示される。受信者指定画面には、ある特定の個人を指定する場合に選択する個人指定リンクと、グループ指定を行う場合に選択するグループ指定リンク、それにデフォルトである全員指定フィールドが設けられている。
【００９６】
ここで、個人指定リンク（「個人」）を選択すると、図示しない宛先設定画面が表示され、その画面で相手のｅ−ｍａｉｌアドレス、ハンドルネーム、加入者番号等、相手先を特定可能な情報を入力することによって送信先が指定した個人に設定される。個人指定が行われた場合には、後述する場所指定と組み合わせることにより、指定の個人が指定のローカルサーバのサービスエリアに入った場合のみ、メッセージが相手先の個人から閲覧可能になる。
【００９７】
また、グループ指定リンクを選択すると、図６（ｆ）で示したようなグループ一覧画面が表示され、当該画面から所望のグループを選択することによって、選択したグループに属する加入者が送信対象として選択される。
【００９８】
また、メッセージ作成画面において、場所指定画面リンクを選択すると、図８（ｄ）に示す場所指定画面が表示される。場所指定画面には、本システムに属するローカルサーバのサービスエリアが示される。任意の数のサービスエリアを指定することが可能であり、場所を指定することにより、別の場所のＢＢＳに対してメッセージを登録することができる。この場合、後述するように、ローカルサーバから中央処理サーバ１に対してメッセージを転送し、中央処理サーバ１においてメッセージの宛先として指定された場所に対応したローカルサーバを判定して、メッセージを配信する。
【００９９】
また、場所指定を行う際、メッセージ作成を行ったローカルサーバが提供するＢＢＳに対してメッセージを登録するかどうかを選択可能にすることもできる。さらに、ＢＢＳ（ローカルサーバ）毎に割り当てられた番号を用いて場所指定を行うことも可能である。ＢＢＳの番号は、例えば図８（ａ）の初期画面において「ＢＢＳ　Ｎｏ．ＸＸＸＸ」として表示される。
【０１００】
日時指定画面リンクを選択すると、図８（ｅ）に示す日時指定画面が表示される。日時表示画面には、日にち単位で指定を行う月日入力フィールドと、時、分単位で指定を行う時間入力フィールドが設けられる。
【０１０１】
これらのフィールドに設定がなされたメッセージは、指定の日時範囲に（場所指定を行った場合には指定された）ローカルサーバのサービスエリア内に存在するユーザのみがメッセージの送信対象になる。
【０１０２】
趣味指定リンクを選択すると、図８（ｆ）に示す趣味指定画面が表示される。この画面はユーザ設定時の趣味設定画面と同一であり、この画面に表示されるカテゴリの中から、任意の数のカテゴリを選択すると、選択したカテゴリを趣味設定で選択している加入者がメッセージ送信対象になる。
【０１０３】
また、広告配信設定画面リンクを選択すると、図８（ｇ）に示す広告配信認証画面が表示される。広告配信認証画面にはＩＤ入力フィールドとパスワード入力フィールドが設けられており、それぞれ事前に登録した広告配信用のユーザＩＤ番号及びパスワードを入力する。入力したＩＤ、パスワードは「送信」に割り当てられたキーを押下することによって加入者番号と共にローカルサーバへ送信され、ローカルサーバは加入者番号を元にユーザＤＢを検索し、登録されたＩＤ、パスワードとの認証を行う。認証が正しく行われた場合には、「広告メッセージとして登録されました」等のメッセージ表示データを移動無線通信端末７に送信する。移動無線通信端末７では、このメッセージを受け取ると、作成中のメッセージに対する広告フラグ（後述）をセットする。
【０１０４】
図８（ｂ）のメッセージ作成画面において、「送信」に割り当てられたキーが押下されると、例えば図１０に示すような構成を有するメッセージがローカルサーバ４へ送信される。
【０１０５】
図１０において、メッセージデータは、以下のフィールドを有する。
１）メッセージＩＤフィールド１０１
ローカルサーバ４から割り当てられたメッセージＩＤを格納するフィールド
２）親メッセージＩＤフィールド１０２
返信等他のメッセージにリンクしたメッセージにおいて、リンク元となるメッセージ（親メッセージ）のメッセージＩＤを格納するフィールド
【０１０６】
３）タイトルフィールド１０３
メッセージのタイトルを格納するフィールド
４）本文フィールド１０４
メッセージの本文（テキスト）を格納するフィールド
５）音声フラグ１０５
メッセージに添付された録音音声の有無を示すフィールド。メッセージ作成時に音声の録音を行った場合、このフィールドがセットされる。
【０１０７】
６）送信者フィールド１０６
移動無線通信端末７からメッセージを送信する際には送信者の加入者番号が格納されるフィールド。メッセージがメッセージＤＢに格納される際、加入者番号は、送信者ローカルサーバによってユーザＤＢ８を用いてハンドルネームに変換される。
７）送信時間フィールド１０７
メッセージ送信時に移動無線通信端末７内部の時計から日時を取り出してこのフィールドに格納する。
【０１０８】
８）受信者指定フィールド１０８
メッセージ作成時受信者指定画面（図８（ｃ））で指定された内容を格納するフィールド
９）場所指定フィールド１０９
メッセージ作成時場所指定画面（図８（ｄ））で指定された内容を格納するフィールド
【０１０９】
１０）日時指定フィールド１１０
メッセージ作成時日時指定画面（図８（ｅ））で指定された内容を格納するフィールド
１１）趣味指定フィールド１１１
メッセージ作成時趣味指定画面（図８（ｆ））で指定された内容を格納するフィールド
【０１１０】
１２）広告フラグ１１２
メッセージ作成時広告配信設定画面（図８（ｇ））を介して正しく認証されたメッセージに対してセットされるフラグ
１３）プッシュ設定フラグ１１３
メッセージ作成画面（図８（ｂ））でプッシュ設定されたメッセージに対してセットされるフラグ
【０１１１】
ローカルサーバ４は、このような形式を有するメッセージを受信すると、まず場所指定フィールド１０９を参照し、受信メッセージをメッセージＤＢ５７に格納する必要があるかどうか、すなわち他場所のみの指定がなされているかどうかを確認する（ステップＳ５１３）。
【０１１２】
他場所のみの指定でない場合、即ちメッセージＤＢ５７に登録する必要があると判断された場合には、受信したメッセージをメッセージＤＢ５７に登録する（ステップＳ５１４）。
【０１１３】
そして、他場所の指定がなされている場合には（ステップＳ５１５）、メッセージデータを中央処理サーバ１へ転送する。この際、メッセージ中の音声フラグ１０５を確認し、メッセージデータに音声データが添付されている場合には、音声データを音声ＤＢ５３から読み出し、メッセージデータと共に中央処理サーバ１へ転送する（ステップＳ５１６）。
後述するように、中央処理サーバ１では、メッセージの受信を検出するとその場所指定フィールド１０９をチェックし、場所指定内容とローカルサーバＤＢ６３（図３）とを用いて、メッセージを転送すべきローカルサーバを特定する。そして、特定したローカルサーバへメッセージを転送する。特定したローカルサーバが複数の場合は、メッセージをコピーして各ローカルサーバへ転送する。
【０１１４】
（閲覧処理）
次に、図９、図１１及び図１２を用いて閲覧処理及び閲覧処理からの返信メッセージ作成について説明する。図１１は閲覧時の端末画面表示例、図１２は、ローカルサーバにおける閲覧処理を示すフローチャートである。
【０１１５】
初期画面（図１１（ａ））から閲覧を行う場合には、初期画面中の閲覧画面リンク「閲覧」を選択することにより、ローカルサーバ４に閲覧指示が送信される。ローカルサーバ４はこの指示に対応して、移動無線通信端末７の加入者番号からユーザＤＢ８を検索し、当該加入者の設定内容とメッセージＤＢ中のメッセージ中の設定内容とを比較することによって、両者の条件が合致したメッセージを抽出する（ステップＳ６０１）。
【０１１６】
そして、ローカルサーバ４は、表示対象となるメッセージのタイトル及びメッセージＩＤを移動無線通信端末７に送信する（ステップＳ６０２）。この結果、移動無線通信端末７の画面には、メッセージのタイトルが表示される（図１１（ｂ））。図５を用いて説明したように、ユーザ設定に合致したプッシュメッセージがメッセージＤＢ中に存在する場合には、移動無線通信端末７がサービスエリアに入り、無線回線が確立した時点でプッシュ設定のあるメッセージについてステップＳ６０１と同様の抽出処理が行われ、プッシュメッセージについて図１１（ｂ）に示すようなタイトル表示画面が表示される。
【０１１７】
図１１（ｂ）のタイトル表示画面から、所望のタイトルを選択し、「詳細」に割り当てられたキーを押下すると（ステップＳ６０３）、移動無線通信端末７からローカルサーバ４に対して詳細表示要求と、表示を要求するメッセージＩＤが送信される。これを受信したローカルサーバ４は、メッセージＩＤからメッセージＤＢ５７を検索し、予め定められた詳細表示フォーマットに必要な項目、例えばメッセージ本文（テキスト）、音声フラグ、送信日時、送信者ハンドル名等を移動無線通信端末７に送信する（ステップＳ６０４）。この結果、移動無線通信端末７の画面にメッセージの全文が表示される（図１１（ｃ））。
【０１１８】
本実施形態において、図１１（ｃ）に示す全文表示画面においては、タイトル、送信者のハンドルネーム、送信日時及び本文（テキスト）が表示されるほか、メッセージ録音音声がリンクされている場合には、音声データへのリンク（「音声あり」）が表示される。
【０１１９】
メッセージの全文表示画面から、ユーザが音声データへのリンクを選択すると（ステップＳ６０５）、ローカルサーバ４は表示中のメッセージＩＤと同一のＩＤを有する音声データを音声ＤＢ５３から読み出し、移動無線通信端末７に送信する（ステップＳ６０６）。移動無線通信端末７は受信した音声データを再生し、ユーザは移動無線通信端末７のスピーカを通じてメッセージに添付された音声を聴取する。
【０１２０】
一方、メッセージの全文表示画面において、ユーザが「応答する」に割り当てられたキーを押下すると（ステップＳ６０７）、図９に示したメッセージ作成処理に移行する。この場合、図９のステップＳ５０３においては、作成するメッセージが返信メッセージであることが検出される。
【０１２１】
そして、ローカルサーバ４は、ステップＳ５０２で新規メッセージに割り当てたメッセージＩＤ及び図８（ｂ）に示したメッセージ作成画面の表示用データとともに、親メッセージのメッセージＩＤ、返信用タイトル（例えば、親メッセージのタイトルに［Ｒｅ：］を付加したもの）及び、親メッセージにおける場所指定情報等の送信先指定情報といった返信用情報を移動無線通信端末７に送信する（ステップＳ５０４）。
【０１２２】
この結果、移動無線通信端末７の画面には、返信用情報が埋め込まれた状態のメッセージ作成画面が表示される。もちろん、ステップＳ５０４ではメッセージ作成画面の表示データとメッセージＩＤのみを送信し、返信用情報については移動無線通信端末７側のアプリケーションによって取得することも可能である。返信メッセージ作成における以後の処理（図９、ステップＳ５０５以降）は新規トピック作成時の処理と同一であるので、以後の説明は省略する。
【０１２３】
図１２に戻って、ステップＳ６０７で返信要求が検出されない場合には、ステップＳ６０８で閲覧終了（例えば、端末のオンフックキー押下）が指示されたかどうかをチェックし、閲覧終了が指示された場合には処理を終了して例えば初期画面の表示データを送信する。閲覧終了指示が検出されない場合には、ステップＳ６０３に戻って詳細表示要求の検出を行う。
【０１２４】
（メッセージの変更、削除処理）
次に、メッセージの変更、削除処理について図１３の表示画面例とローカルサーバにおける処理を示す図１４とを用いて説明する。
【０１２５】
例えば初期画面（図１３（ａ））から、メッセージ変更／削除リンクが選択されると、移動無線通信端末７はローカルサーバ４に対して加入者番号とメッセージ変更／削除処理要求を送信する。ローカルサーバ４はこの指示に対応して、移動無線通信端末７の加入者番号からメッセージＤＢ５７を検索し、当該加入者が登録したメッセージを抽出する（ステップＳ７０１）。
【０１２６】
そして、ローカルサーバ４は、表示対象となるメッセージのタイトル及びメッセージＩＤを移動無線通信端末７に送信する（ステップＳ７０２）。この結果、移動無線通信端末７の画面には、メッセージのタイトルが表示される（図１３（ｂ））。
【０１２７】
図１３（ｂ）のタイトル表示画面から、所望のタイトルを選択し、「変更」又は「削除」に割り当てられたキーを押下すると（ステップＳ７０３）、移動無線通信端末７からローカルサーバ４に対して変更又は削除要求と、変更又は削除を要求するメッセージＩＤが送信される。これを受信したローカルサーバ４は、メッセージＩＤからメッセージＤＢ５７を検索し、予め定められた詳細表示フォーマットに必要な項目、例えばメッセージ本文（テキスト）、音声フラグ、送信日時、送信者ハンドル名等を移動無線通信端末７に送信する（ステップＳ７０４）。この結果、移動無線通信端末７の画面にメッセージの全文が表示される（図１３（ｃ）又は（ｄ））。
【０１２８】
本実施形態において、図１３（ｃ）及び（ｄ）に示すメッセージ変更、削除時の全文表示画面においては、タイトル、送信日時及び本文（テキスト）が表示されるほか、メッセージ録音音声がリンクされている場合には、図に示すように音声データへのリンク（「音声あり」）が表示される。
【０１２９】
変更時のメッセージの全文表示画面（図１３（ｃ））から、ユーザが図示しない音声データへのリンクを選択すると、図９を用いて説明した新規メッセージ作成処理におけるステップＳ５１０及びＳ５１１と同一の音声録音処理がなされ、移動無線通信端末７から受信した音声データを音声ＤＢ５３に上書きする。
【０１３０】
同様に、削除時のメッセージ全文表示画面（図１３（ｄ））から、ユーザが図示しない音声データへのリンクを選択すると、図１２を用いて説明した閲覧処理における音声データの再生処理（ステップＳ６０６）と同一の音声再生処理がなされ、移動無線通信端末７にてメッセージに添付された音声データを聴取することができる。
【０１３１】
また、図には記載していないが、変更時のメッセージ全文表示画面において、音声データを新規に追加するためのリンクを設けることもできる。この場合、音声追加リンクを選択することにより、図９を用いて説明した新規メッセージ作成処理におけるステップＳ５１０及びＳ５１１と同一の音声録音処理がなされ、ローカルサーバは移動無線通信端末７から受信した音声データを音声ＤＢ５３に新規登録する。
【０１３２】
図１４に戻って、削除時のメッセージ全文表示画面から削除指示を受信したかどうかをステップＳ７０５でチェックし、削除指示があった場合には表示中のメッセージをメッセージＤＢ５７から削除する（ステップＳ７０６）。
【０１３３】
また、ステップＳ７０７において変更時のメッセージ全文表示画面から「送信」に割り当てられたキーが押下され、メッセージの送信がなされた場合には（ステップＳ７０７）、メッセージＤＢ５７に受信メッセージを上書きする（ステップＳ７０８）。
【０１３４】
ステップＳ７０９で変更／削除の終了（例えば、端末のオンフックキー押下）が指示されたかどうかをチェックし、終了が指示された場合には処理を終了して例えば初期画面の表示データを送信する。終了指示が検出されない場合には、ステップＳ７０３に戻って変更／削除処理要求の検出を行う。
【０１３５】
（メッセージの転送処理）
次に、中央処理サーバ１で行われるメッセージの転送処理について、図１５に示すフローチャートを用いて説明する。
【０１３６】
前述したように、本システムにおいては、作成した個々のメッセージについて、受信者の場所指定が可能である。すなわち、図１において、ゾーンＡのサービスエリアに位置する移動無線通信端末７で、ゾーンＢ及び／又はゾーンＣに対応する場所指定を行ったメッセージを作成することにより、ゾーンＡ内に存在する（あるいは将来入ってくる）加入者に対してはメッセージが提供されず、ゾーンＢ及び／又はゾーンＣ内に存在する（又は将来入ってくる）加入者に対してのみメッセージを提供するように指定することが可能である（もちろん、ゾーンＢ及び／又はゾーンＣ内に存在する加入者であっても、メッセージに設定された他の条件に合致しない加入者には提供されない）。
【０１３７】
図９を用いて説明したように、ローカルサーバは新規メッセージを受信すると、その場所指定フィールドをチェックし、自分以外の場所が指定されている場合には、そのメッセージを中央処理サーバ１に転送する。
【０１３８】
中央処理サーバ１では、メッセージの受信を検出すると（ステップＳ４０１）、その場所指定フィールドをチェックし（ステップＳ４０２）、場所指定内容とローカルサーバＤＢ６３（図３）とを用いて、メッセージを転送すべきローカルサーバを特定する（ステップＳ４０３）。そして、転送先のローカルサーバへメッセージを転送する（ステップＳ４０４）。転送先が複数の場合は、メッセージをコピーして各ローカルサーバへ転送する。
【０１３９】
中央処理サーバ１からメッセージを受信した各ローカルサーバは、メッセージＤＢ内に受信したメッセージを格納する。前述したように、メッセージに音声データが添付されている場合、ローカルサーバから中央処理サーバ１へ転送されるメッセージにも音声データが添付されている。中央処理サーバ１から転送先のローカルサーバへメッセージを転送する際にも、音声データが添付されたメッセージについては音声データが付加された状態で転送する。
【０１４０】
音声データが添付されたメッセージを受信した各ローカルサーバは、添付された音声データを自らの音声ＤＢ５３に格納し、それ以外の文字メッセージについてはメッセージＤＢ５７に格納する。
【０１４１】
（ブロードキャスト処理−データ設定）
次に、ブロードキャスト処理について説明する。上述したように、本システムではブロードキャストによってユーザに情報を提供することが可能である。ブロードキャストとは、ラジオ、テレビあるいは文字放送のように、実質的に連続して表示（もしくは音声）データを供給するサービスである。
【０１４２】
このようなブロードキャストサービスを実施するには、予めブロードキャストするデータに関してローカルサーバが認知可能に設定する必要がある。従って、まず図１６を用いて、ブロードキャストデータの設定について説明する。なお、以下の説明においては移動無線通信端末７において設定を行う場合を例示して説明するが、メッセージ処理と同様、本設定も情報提供サーバ３等インターネットに接続された機器から行うことができる。
【０１４３】
まず、例えば初期画面（図１６（ａ））に設けられた、ブロードキャスト設定画面へのリンクを選択し、「送信」に割り当てられたキーを移動無線通信端末７で押下すると、ブロードキャスト設定画面が表示される（図１６（ｂ））。ブロードキャスト設定画面から送信設定画面リンク（「送信設定」）を選択し、「送信」に対応するキーを押下すると、送信設定画面が表示される（図１６（ｃ））。
【０１４４】
送信設定画面には、メッセージ作成画面（図８（ｂ））と同様に、送信先を指定するための受信者指定画面リンクと、場所指定画面リンクと、日時指定画面リンクと、趣味指定画面リンクとが設けられている。これら各リンクを選択した際の画面表示及び各画面での設定内容については図８（ｃ）〜（ｆ）を用いて前述したとおりあるため、重複する説明は省く。
【０１４５】
送信設定画面には、さらに送信データ設定画面リンクが設けられており、このリンクを選択し、「送信」に対応するキーを押下することにより、送信データ設定画面（図１６（ｄ））が表示される。
【０１４６】
送信データ設定画面には、
１）データソースアドレス入力フィールド
ブロードキャストデータの供給元を指定する、例えばＩＰアドレスを入力するフィールド
【０１４７】
２）ダウンロード要否設定フィールド
ブロードキャストデータを移動無線通信端末７で処理するために、別途移動無線通信端末７にダウンロードする必要があるソフトウェアがあるかないかを指定するフィールド
【０１４８】
３）ダウンロードアドレス入力フィールド
ダウンロード要否設定フィールドにおいて、「要」と設定した場合に、ローカルサーバ中に記憶されたダウンロード用ソフトウェアを特定するための情報、例えばＵＲＬを入力するフィールド
【０１４９】
４）ポート番号フィールド
ブロードキャストデータを処理する、移動無線通信端末７が有するアプリケーションプログラムを指定するポート番号を入力するフィールド
【０１５０】
５）端末必須機能指定フィールド
例えば株価チャート等の細かいデータを移動無線通信端末７で表示するためには、ドットマトリックスディスプレイが端末側に必要である。また、音声データをブロードキャストする場合には、スピーカが端末側に無ければ再生された音声を聞くことができない。そのため、本フィールドによって、ブロードキャストするデータを処理するために移動無線通信端末７側に必要な機能（装備）を指定する。
【０１５１】
送信データ設定画面から「設定」に対応するキーが押下されると、図１６（ｃ）からリンクされる各設定画面での設定内容及び、図１６（ｄ）に含まれる各設定項目に対する設定値がローカルサーバへ送信される。設定内容はローカルサーバのＨＤＤ５８に記憶される。
【０１５２】
設定がなされると、ローカルサーバはソースデータアドレスフィールドに設定されたアドレスにアクセスし、ブロードキャストデータの受信を開始する。また、ブロードキャスト設定を行った加入者は、ダウンロードアドレスフィールドに指定したローカルサーバ中のアドレスに対し、例えばＦＴＰ等によって必要なアプリケーションプログラムを転送する。
【０１５３】
（ブロードキャストデータ処理）
次に、ブロードキャスト処理について、図１７に示す画面表示例と、ローカルサーバでのブロードキャスト処理を説明する図１８のフローチャートを用いて本システムにおけるブロードキャスト動作について説明する。
【０１５４】
図４を用いて説明したように、移動無線通信端末７が本システムに属するあるＡＰのサービス範囲に入ると、移動無線通信端末７とＡＰとの間で無線回線の確立が行われ、確立後ＡＰからローカルサーバに対して移動無線通信端末７の加入者番号が送信される。
【０１５５】
そして、図５で説明したように、ローカルサーバはＡＰから受信した加入者番号によってユーザＤＢ８を検索し、登録済みユーザであることを認証する。そして、プッシュメッセージに関する処理が終了すると、ブロードキャストデータ処理を行う（ステップＳ２０６、Ｓ２０７）。
【０１５６】
具体的には、予めローカルサーバに設定されたブロードキャストデータのうち、移動無線通信端末７の加入者設定と合致するブロードキャストデータについて、チャネル選択画面（図１７（ａ））の表示データを送信する（ステップＳ３０１）。この表示データには、各ブロードキャストチャネルのチャネル番号情報も含まれている。
【０１５７】
チャネル設定画面には、ユーザが受信可能なブロードキャストチャネルが示されており、その脇には個々にラジオボタンが配置されている。ユーザがいずれかのチャネル受信を希望する場合には、どれか１つのチャネルに対応するラジオボタンを選択し、「受信」に対応するキーを押下する。
【０１５８】
このチャネル選択はローカルサーバで検出され（ステップＳ３０２）、ローカルサーバは選択されたブロードキャストデータに関する設定内容をＨＤＤ５８から読み出して、選択されたブロードキャストデータの処理に必要とされるハードウェアがユーザの端末、すなわち移動無線通信端末７に実装されているかどうかをチェックする（ステップＳ３０３）。このチェックは、例えばローカルサーバから移動無線通信端末７に対して問い合わせコマンドを送信し、移動無線通信端末７がこのコマンドに応答して返送した端末のスペックをチェックすることによって行うことができる。
【０１５９】
チェックの結果、例えばドットマトリックスディスプレイを必要とするブロードキャストデータが選択されたにもかかわらず、移動無線通信端末７がドットマトリックスディスプレイを有していない場合には、ユーザに対して、その端末では選択したブロードキャストチャネルの処理ができない旨のメッセージを送信し（ステップＳ３０４）、チャネル選択画面に戻る。
【０１６０】
端末７がハードウェア的な要件を満足する場合には、次にブロードキャストデータの処理に必要とされるアプリケーションプログラムが必要かどうかをチェックする（ステップＳ３０５）。このチェックでは、ブロードキャストデータ設定の内容を参照し、アプリケーションプログラムが必要であるかをチェックすると共に、移動無線通信端末７が必要なアプリケーションプログラムを有しているかのチェックも併せて行われる。
【０１６１】
移動無線通信端末７が必要なアプリケーションプログラムを有しているかどうかのチェックは、例えばユーザＤＢ８のユーザ毎のレコードに、過去にダウンロードしたアプリケーションプログラムを登録するようにし、ステップＳ３０５の処理においてユーザＤＢ８を参照することによって行うことができる。
【０１６２】
ステップＳ３０５において、選択されたブロードキャストデータの処理には移動無線通信端末７側でソフトウェアをダウンロードする必要があると判断された場合には、その旨のメッセージと、ダウンロードリンクを有する問い合わせ画面（図１７（ｂ））が送信される（ステップＳ３０６）。
【０１６３】
ユーザがダウンロードリンク（「ダウンロード」）を選択し、「選択」に対応するキーを押下すると、移動無線通信端末７からローカルサーバ４に対してダウンロード要求が送信され（ステップＳ３０７）、ＨＴＴＰ，ＦＴＰ等のプロトコルに従ってローカルサーバ４から移動無線通信端末７へアプリケーションプログラムが転送される（ステップＳ３０８）。ローカルサーバ４はアプリケーションプログラムの転送が終了すると、転送したアプリケーションをユーザＤＢに登録する。アプリケーションプログラムが転送されると、移動無線通信端末７はブロードキャストデータの受信を開始する（ステップＳ３０９）。
【０１６４】
また、ステップＳ３０５において、移動無線通信端末７がソフトウェアのダウンロードをしなくてもブロードキャストデータの処理が可能であると判定された場合には、受信を開始するかどうかの問い合わせ画面データを送信する（ステップＳ３１０）。移動無線通信端末７ではこのデータを表示し（図１７（ｃ））、ユーザが画面上の「受信を開始する」を選択し、「選択」に対応するキーを押下すると、移動無線通信端末７は（図１７（ａ））の表示データと共に受信している、ブロードキャストチャネル番号を用いてブロードキャストデータの受信を開始する（ステップＳ３０９）。
【０１６５】
上述のように、ローカルサーバ４は設定済みのブロードキャストデータを常に受信しており、所定のチャンネルを使ってこれらのブロードキャストデータを送信し続けている。また、ブロードキャストデータは、ブロードキャストデータ設定のポート番号フィールドで指定されたポート番号（移動無線通信端末７内でブロードキャストデータ処理を行うアプリケーションプログラムに割り当てられたポート番号）に対して送信される。
【０１６６】
これによって、移動無線通信端末７ではブロードキャストデータ処理用のアプリケーションプログラムが受信したブロードキャストデータに基づいて表示等の処理が行われる。
【０１６７】
以上説明したように、作成したメッセージに対して、アドレス以外に種々の送信先条件を指定可能であるため、例えば「９月８日、午前１０時から午後１時までの間に、Ａ駅構内にいる加入者」のみが閲覧できるようにメッセージを送信すると言った、時間、場所を限定した情報の提供が可能になる。また、予め登録された加入者の嗜好等の個人情報を併せて指定可能であるため、例えば「Ｂ駅構内にいる加入者で、スポーツに興味のある加入者」等の指定も可能である。このように、情報提供者側から見れば、ターゲットを絞って情報を提供可能となり、例えば広告の配信を行う場合に、より効果的な宣伝を行うことが可能となる。
【０１６８】
また、広告以外のメッセージであっても、「特定の人が特定の場所に来たらメッセージをプッシュする」ように設定したメッセージを作成すれば、例えば待ち合わせに遅れた人が待ち合わせ場所に着いたときに連絡先を通知する等の利用も可能になる。
【０１６９】
また、情報を受け取る場合には、自分が受け取りたい（閲覧したい）情報を予め指定しておくことにより、希望する情報のみ取得可能となるため、不要な情報を見る可能性が低くなり、効果的に必要な情報を取得することが可能になる。
【０１７０】
以上説明したように、本発明による情報提供システムによれば、情報を提供する側、情報を受ける側の双方が情報を提供したい相手及び受けたい情報を指定することができ、効果的な情報提供及び効率的な情報の取得が可能となる。
【図面の簡単な説明】
【図１】
本発明の実施形態に係る情報提供システムの全体構成例を説明する図である。
【図２】
図１におけるローカルサーバの構成例を示すブロック図である。
【図３】
図１における中央処理サーバ１の構成例を示すブロック図である。
【図４】
図１におけるアクセスポイントの回線制御処理を示すフローチャートである。
【図５】
ローカルサーバの情報提供処理全体の流れを説明するフローチャートである。
【図６】
（ａ）〜（ｇ）は移動無線通信端末７における新規登録時の画面表示例を示す図である。
【図７】
（ａ）〜（ｇ）は既登録ユーザの端末に表示されるグループ処理メニュー及びこのメニューから行う処理に関連した画面表示例を示す図である。
【図８】
（ａ）〜（ｇ）は移動無線通信端末７におけるメッセージ作成時の画面表示例を示す図である。
【図９】
メッセージ作成時のローカルサーバの処理を説明するフローチャートである。
【図１０】
本システムにおいて用いるメッセージのデータ形式例を示す図である。
【図１１】
（ａ）〜（ｃ）は移動無線通信端末７におけるメッセージ閲覧時の画面表示例を示す図である。
【図１２】
メッセージ閲覧時のローカルサーバの処理を説明するフローチャートである。
【図１３】
（ａ）〜（ｄ）は移動無線通信端末７におけるメッセージ変更／削除時の画面表示例を示す図である。
【図１４】
メッセージ変更／削除時のローカルサーバの処理を説明するフローチャートである。
【図１５】
中央処理サーバ１における、メッセージ転送処理を説明するフローチャートである。
【図１６】
（ａ）〜（ｄ）はブロードキャストデータ設定時における移動無線通信端末７における画面表示例を示す図である。
【図１７】
（ａ）〜（ｃ）はブロードキャストデータが存在するサービスエリアにおいて移動無線通信端末７に表示される画面例を示す図である。
【図１８】
ローカルサーバにおけるブロードキャスト処理を説明するフローチャートである。
【図１】
2004508636.tif 000003
【図２】
2004508636.tif 000004
【図３】
2004508636.tif 000005
【図４】
2004508636.tif 000006
【図５】
2004508636.tif 000007
【図６】
2004508636.tif 000008
【図７】
2004508636.tif 000009
【図８】
2004508636.tif 000010
【図９】
2004508636.tif 000011
【図１０】
2004508636.tif 000012
【図１１】
2004508636.tif 000013
【図１２】
2004508636.tif 000014
【図１３】
2004508636.tif 000015
【図１４】
2004508636.tif 000016
【図１５】
2004508636.tif 000017
【図１６】
2004508636.tif 000018
【図１７】
2004508636.tif 000019
【図１８】
2004508636.tif 000020
【国際公開パンフレット】
2004508636.tif 000021
2004508636.tif 000022
2004508636.tif 000023
2004508636.tif 000024
2004508636.tif 000025
2004508636.tif 000026
2004508636.tif 000027
2004508636.tif 000028
2004508636.tif 000029
2004508636.tif 000030
2004508636.tif 000031
2004508636.tif 000032
2004508636.tif 000033
2004508636.tif 000034
2004508636.tif 000035
2004508636.tif 000036
2004508636.tif 000037
2004508636.tif 000038
2004508636.tif 000039
2004508636.tif 000040
2004508636.tif 000041
2004508636.tif 000042
2004508636.tif 000043
2004508636.tif 000044
2004508636.tif 000045
2004508636.tif 000046
2004508636.tif 000047
2004508636.tif 000048
2004508636.tif 000049
2004508636.tif 000050
2004508636.tif 000051
2004508636.tif 000052
2004508636.tif 000053
2004508636.tif 000054
2004508636.tif 000055
2004508636.tif 000056
2004508636.tif 000057
2004508636.tif 000058
2004508636.tif 000059
2004508636.tif 000060
2004508636.tif 000061
2004508636.tif 000062
2004508636.tif 000063
2004508636.tif 000064
2004508636.tif 000065
2004508636.tif 000066
2004508636.tif 000067
2004508636.tif 000068
2004508636.tif 000069
2004508636.tif 000070
2004508636.tif 000071
2004508636.tif 000072
2004508636.tif 000073
2004508636.tif 000074
2004508636.tif 000075
2004508636.tif 000076
2004508636.tif 000077
2004508636.tif 000078
2004508636.tif 000079
2004508636.tif 000080
2004508636.tif 000081
2004508636.tif 000082
2004508636.tif 000083
2004508636.tif 000084
2004508636.tif 000085
2004508636.tif 000086
2004508636.tif 000087
2004508636.tif 000088
2004508636.tif 000089
2004508636.tif 000090
2004508636.tif 000091
2004508636.tif 000092
2004508636.tif 000093
2004508636.tif 000094
2004508636.tif 000095
2004508636.tif 000096
2004508636.tif 000097
2004508636.tif 000098
2004508636.tif 000099
【国際調査報告】
2004508636.tif 000100
2004508636.tif 000101
2004508636.tif 000102
2004508636.tif 000103